(57)【特許請求の範囲】
【請求項１】
丸鋸ブレード（２）を駆動するモータ（３）のためのハウジング（１ａ）と、充電可能なバッテリ（４）のためのハウジング（１ｂ）を有し、丸鋸ブレード（２）の平面（Ｅ）に平行なＵ字状のグリップ（５）を前記ハウジング（１ａ，１ｂ）から突出させ、前記グリップの各脚（６ａ，６ｂ）を前記ハウジング（１ａ，１ｂ）の各々に連結した手持ち丸鋸において、前記モータ（３）の回転軸線（Ｒ）を丸鋸ブレード（２）の平面（Ｅ）にほぼ平行に延在させ、モータ（３）の回転軸線（Ｒ）を丸鋸の鋸進行方向（Ｓ）に直交させて配置し、バッテリ（４）のハウジング（１ｂ）の挿入方向（Ｖ）を回転軸線（Ｒ）に対して８５゜よりも小さい角度をなすように構成したことを特徴とする手持ち丸鋸。
【発明の詳細な説明】
【０００１】
【発明の属する技術分野】
本発明は、丸鋸ブレードを駆動するモータのためのハウジングと、充電可能なバッテリのためのハウジングを有し、丸鋸ブレードの平面に平行なＵ字状のグリップを前記ハウジングから突出させ、前記グリップの各脚を前記ハウジングの各々に連結した手持ち丸鋸に関するものである。
【０００２】
【従来の技術】
従来のこのような手持ち丸鋸は、ハウジング内に配置したモータにより駆動する丸鋸ブレードを設ける。ハウジング内に配置した充電可能なバッテリは、必要なエネルギ、例えば、電気エネルギを供給する。バッテリ又は他のエネルギ貯蔵装置を使用することにより、丸鋸のユーザーは、丸鋸、特に、モータを駆動するのにエネルギ供給網に頼る必要がなくなる。
【０００３】
独国特許公開第３３１８５０７号には、丸鋸ブレードを駆動するモータのためのハウジングと、充電可能なバッテリのためのハウジングを有するこのような丸鋸が記載されている。丸鋸ブレードの平面に平行なＵ字状のグリップを双方のハウジングから突出させ、グリップの脚を各ハウジングに連結している。モータの回転軸線は丸鋸ブレードの平面に直交させている。
【０００４】
この従来の技術は、グリップを設けたことによって、バッテリ及びモータのために重くなる丸鋸をほぼ手で案内することができる利点がある。
【０００５】
【発明が解決しようとする課題】
しかし、モータ、バッテリ及びグリップを設けることは、丸鋸ブレードの平面に直交する方向の寸法が大きくなるという欠点がある。更に、鋸ブレードに直交する構造寸法を制動すると、モータ及び／又はバッテリの出力が大幅に制限されることになる。
【０００６】
従って、本発明の目的は、充電可能なバッテリを有し、モータ及びバッテリのために十分な空間を確保し、従って、高い鋸作業効率を保証することができる手持ち丸鋸を得るにある。
【０００７】
【課題を解決するための手段】
この目的を達成するため、本発明丸鋸は、モータの回転軸線を丸鋸ブレードの平面にほぼ平行に延在させたことを特徴とする。
【０００８】
回転軸線を丸鋸ブレードの平面に平行にしたため、より大きい空間を占有する大きなモータを取り付けることができ、しかも丸鋸の操作性を悪くするような丸鋸ブレードの平面に直交する方向の寸法を大きくすることがない。特に、バッテリ駆動のモータを使用することにより、持続時間を向上させ、また使用時間及び／又は切断効率もできるだけ大きくとることができる。更に、バッテリ駆動の丸鋸により、高い効率が得られ、例えば、操作性のよさを断念することなくより大きい空間を占める新型のモータ及びバッテリを使用することができる。
【０００９】
モータの回転軸線を丸鋸の平面に平行にするモータの配置及び丸鋸の操作性を良くすることの外に、丸鋸ブレードを閉塞することによって、ハウジングは、丸鋸ブレードと同一平面内ではない平面上で旋回させることができる。
【００１０】
本発明の好適な実施例においては、モータの回転軸線を丸鋸の鋸進行方向に直交させ、この構成によれば丸鋸の重量配分が良好になる。少なくとも電動モータの外側輪郭がほぼ円筒形である場合、電動モータの直径を電動モータの長さよりも小さくする。この実施例の構成によれば、モータの回転軸線及び／又は充電可能なバッテリの重心は、重力の作用方向及びグリップが存在する平面上にほぼ位置する。操作性の点では、この構成によってユーザーは大きな力を加えることなく、丸鋸を作業位置に保持できるようになる。
【００１１】
好適な実施例においては、バッテリのためのハウジングのバッテリ挿入方向を回転軸線に対して８５゜よりも小さい角度をなすようにし、この構成によれば、丸鋸の鋸進行方向に測った寸法を小さくすることができる。特に、バッテリ駆動の丸鋸では小さい寸法が極めて重要であり、これは、小さい寸法の丸鋸が操作性にとって大きな役割を果たすからである。更に、鋸進行方向にコンパクトな構造は、切断の際の見通しを良好にする。更に、この構成は、丸鋸ブレードの平面に沿いかつ鋸進行方向に直交する平面における大きさを小さくすべき場合は、バッテリのハウジングのバッテリ挿入方向を回転軸線に対して８５゜よりも大きい角度をなすようにする。
【００１２】
【発明の実施の形態】
次に図面につき本発明の好適な実施の形態を説明する。
【００１３】
図１及び図２には、丸鋸ブレード２を駆動するモータ３のためのハウジング１ａと、充電可能なバッテリ４のためのハウジング１ｂを有する本発明による手持ち丸鋸を示す。丸鋸ブレード２の平面Ｅに平行に延在するＵ字状グリップ５をハウジング１ａ，１ｂから突出させ、グリップの脚６ａ，６ｂをハウジング１ａ，１ｂに連結する。更に、丸鋸には、丸鋸ブレード２が通過する当接プレート８を設け、この当接プレート８にハウジング１ａ，１ｂの双方を連結し、かつ自明であるため図示しない加工材の表面上に当てがう当て板として作用させる。
【００１４】
丸鋸プレート２には駆動軸７を固着し、この駆動軸７を丸鋸ブレード２の平面Ｅに直交させる。バッテリ４によって駆動するモータ３の回転軸線Ｒを当接プレート８に直交させる。モータ３にはモータ軸１４を設け、このモータ軸１４は、駆動軸７に回転モータめを伝達する伝動装置１５に駆動連結する。
【００１５】
当接プレート８に対して僅かな角度をなすバッテリのハウジング１ｂは、ほぼ矩形形状に構成し、バッテリ４を収容する。バッテリの交換を容易にするため、ハウジング１ｂには鋸進行方向Ｓ側とは反対側の側面にハウジング開口９を設ける。バッテリ４のハウジング１ｂは挿入方向Ｖを回転軸線Ｒに対して約８０゜の角度をなすように配置する。更に、丸鋸プレート２はフード１３を設ける。
【００１６】
グリップ５にはスイッチ１１を設け、モータ３のオン・オフ切り換えを行なうようにする。本発明丸鋸の安全な案内を容易にするため、当接プレート８の鋸進行方向Ｓ側の端部領域に、きのこ状の補助グリップ１２を設ける。
【００１７】
【実施例】
図３には、図１及び図２の実施の形態とは異なる他の実施例を示し、一方ではバッテリ４及びモータ３の配置が逆であり、他方ではバッテリ４のハウジング１ｂの挿入方向Ｖが回転軸線Ｒに対して約１３０゜の角度をなす実施例を示す。
【図面の簡単な説明】
【図１】  本発明丸鋸の好適な実施の形態の側面図である。
【図２】  図１の丸鋸の平面図である。
【図３】  本発明丸鋸の他の実施例の側面図である。
【符号の説明】
1a,1b ハウジング
2 丸鋸ブレード
3 モータ
4 バッテリ
5 グリップ
6a,6b グリップの脚
7 駆動軸
8 当接プレート
9 ハウジング開口
11 スイッチ
12 補助グリップ
13 フード
14 モータ軸
15 伝動装置
【図１】
0004319382.tif 000002
【図２】
0004319382.tif 000003
【図３】
0004319382.tif 000004